(57)【要約】【課題】筺体の開口をカバーで開閉する際に、単一の機構でカバーの開閉操作が容易であると共に、カバーを筐体に組み込む作業が簡単にできるカバー開閉機構を提供する。【解決手段】カバー１０３には、開口１０２を覆うカバー本体１０４と、カバー本体１０４の裏面に垂立して設けられた弾性変形可能な長板状の支持体１０５とを備え、開口１０２に接近して支持体１０５が挿通される挿通孔１０７を形成し、挿通孔１０７には、挿通孔１０７の内面に突出して設けられた突出部１０９と、突出部１０９に対向した位置に挿通孔１０５の内面から後退した後退部１１０とを備え、支持体１０５には、支持体１０５の長手方向に延在して形成され突出部１０９に係合するガイド用溝１０８を備える。支持体１０５の先端を挿通孔１０７に押し込んで弾性的に変形させ突出部１０９をガイド用溝１０８に係合させ、カバー本体１０４がを開口自在に取り付けるようにした。【選択図】図３
2012015141.tif 000002
【特許請求の範囲】
【請求項１】
筺体にある開口をカバーでもって開閉するカバー開閉機構であって、
前記カバーは、前記開口を覆うカバー本体と、該カバー本体の裏面に設けられた弾性変形可能な支持体とを備え、
前記開口に接近した前記筐体には、前記支持体が挿通される挿通孔を形成し、
前記挿通孔は、該挿通孔内面に突出して設けられた突出部と、該突出部に対向した位置に該挿通孔内面から後退した後退部とを備え、
前記支持体は、該支持体の長手方向に延在して形成され、前記突出部に係合するガイド用溝を備えて構成したことを特徴とするカバー開閉機構。
【請求項２】
前記支持体は、前記カバー本体が上方に傾いて位置するように折り曲げられて形成された折曲部を備えて構成されたことを特徴とする請求項１に記載のカバー開閉機構。
【請求項３】
前記支持体は、先端部分が前記挿通孔の縦辺の長さに略等しく該挿通孔に挿通される厚さであり、該先端部分を除く部分が該縦辺の長さに対して小さい値の厚みで形成されていることを特徴とする請求項１又は請求項２に記載のカバー開閉機構。
【請求項４】
前記突出部は、前記挿通孔の入口側に向った位置に傾斜面を備えていることを特徴とする請求項１ないし請求項３のいずれかに記載のカバー開閉機構。
【発明の詳細な説明】
【技術分野】
【０００１】
本発明は、筺体の開口をカバーでもって開閉するカバー開閉機構に関し、特に、開口を介して筐体内部のコネクタに外部機器を接続する電子機器に適用して好適なカバー開閉機構に関するものである。
【背景技術】
【０００２】
近年、メモリカードを用いた各種の電子機器が普及している。この種の電子機器は、メモリカードに記憶された音声、映像などのデータを再生することが可能なものである。そのため、電子機器には、筐体前面にメモリカード挿入用の開口が形成され、この開口内にコネクタが配され、メモリカードを開口に挿入して電子機器に装着可能になっている。また、電子機器には開口を開閉するカバーが設けられており、塵埃の進入防止、コネクタの破損防止などを図っている。携帯電話、携帯型情報端末装置やデジタルカメラなどはこのような電子機器の代表的な例である。
【０００３】
従来のカバー開閉機構としては、例えば、下記の特許文献１（特開２００２−１３４９４２号公報）に示すものが提案されている。この従来のカバー開閉機構は、メモリカードの一種であるＳＤメモリカードが装着される携帯電話機に適用した場合である。その具体的な構成は、携帯電話機の本体の側面に開口となるＳＤカードスロットが形成され、ＳＤカードスロットに閉塞位置または開放位置の間で回動自在にされるカバーが装備され、閉塞状態で塵埃などのスロット内への侵入を防止している。
【０００４】
カバーの端部にはヒンジを構成する回転軸部が一体に形成されている。一方、本体側には回転軸部を係止させるための溝及び、カム軸ユニットが配置されている。カム軸ユニットはカム体と弾性体とを有しカバーが開放状態に半ば強制的に移行されて開放状態を保持されると共に、カバーが閉塞状態に半ば強制的に移行されて閉塞状態を保持されるようになっている。
【０００５】
従って、上記特許文献１に示す従来技術によれば、ＳＤカード収容部にＳＤカードを収容させた状態でＳＤカードスロットをカバーで確実に閉塞して塵埃の進入を防止できる。また、ＳＤカードをＳＤカード収容部から取り出したり収容する際には、カバーが確実に開放状態に保持されるのでＳＤカードスロットを介してのＳＤカードの収容、取り出しが容易に行うことができる。しかし、このような構成のカバー開閉構造においては、その構造が複雑であり、部品点数も多く、コスト的に不利である。また、組み立てに際してもその作業が面倒であるなどの問題点を有する。
【０００６】
そこで、例えば、下記の特許文献２（特開２００９−２９０７４５号公報）に示す従来技術が考えられる。この従来技術は、携帯電話機における筐体の側面に開口が設けられ、開口の奥に外部機器との接続を行うためのコネクタが配置されている。開口は外部機器との接続が行われない場合にはコネクタを保護するために、帯板状に形成された合成樹脂製のカバーで覆われている。そのため、筐体の開口部分の周囲には、開口を覆っているときに帯板状のカバー部を収容する凹部と、カバー部をその一端で回動して開口を開閉可能にするために、カバーに設けられている円柱状の軸部及び該軸部先端に配置された係止部が挿入される円形の孔と角形の孔が複合された複合孔が形成されている。
【０００７】
カバーは柔軟な合成樹脂又はゴム等で構成されており、開口を覆うための帯板状のカバー部と、カバー部の一端側に設けられて、筐体の開口の周囲に形成された複合孔に挿通させることにより、カバー部をその一端側で回動させるための円柱状の軸部を備えている。この軸部の先端には該軸部が複合孔を貫通した後に筐体裏面側で複合孔周辺を係止することによってカバーが筐体から外れるのを防止する機能を有する係止部を備えている。
【０００８】
係止部は、円柱状の軸部の先端に軸方向の断面が軸部の径よりも小さい厚みと軸部の径よりも大きい幅を有し、その開き角度が１８０度よりも小さい角度で軸部の中心から突出する軸方向の断面が「く」の字状に形成されており、かつ軸方向先端に行くほどその断面が小さくなる楔状に形成された板状の部材によって構成されている。また、この板状部材の間には溝が形成されている。
【０００９】
従って、カバーを筐体の凹部に組み込む際に、係止部の先端を複合孔に差し込んで押し込むと、柔軟な材料で構成されている係止部の板状部財が複合孔に形成されている角形の孔に沿って弾性変形されてその開き角度を１８０度に拡げられながら挿入される。複合孔を通過後は、カバー側系止部の側面に対する筐体側の角孔からの圧迫力が解除されるので、係止部の板状部材はもとの「く」の字状に復帰する。
【００１０】
その後、カバーを筐体から外す方向に力が加わった場合には、軸部と接合している側の係止面と筐体裏面の複合孔周辺部との引っ掛かりが生じる。この場合、係止部の面に加わる力は、円柱状の軸部と接合された付け根部分に対して軸方向の力として加わるため筐体側の角孔に沿って変形させることは困難となる。そのため、一旦筐体にはめ込まれたカバーは、筐体から簡単には外れなくなる。
【００１１】
上記特許文献２に示すカバー開閉機構によれば、カバーを筐体に組み込む際に係止部の先端を複合孔に差し込むだけでよいため組み込み作業が簡単となる。従って、特許文献１に示す従来技術の問題点を解消できる。
【００１２】
また、上記特許文献２のカバー開閉機構によれば、カバー部を筐体の凹部に納めて開口を塞ぐことができる。一方外部機器を開口内のコネクタと接続する場合には、凹部に収納されているカバー部の一端を指などで引き出した後、円柱状の軸部を複合孔に沿って、カバー側係止部の面が筐体裏面の複合孔周辺部と突き当たるまで引き上げた後、カバー部を円柱状の軸部を中心に回動させて開口を開放状態とする。
【先行技術文献】
【特許文献】
【００１３】
【特許文献１】特開２００２−１３４９４２号公報（段落「００１２」〜「００１６」、段落「０    ０１８」）
【特許文献２】特開２００９−２９０７４５号公報（段落「００２４」〜段落「００３１」、図１    ）
【発明の概要】
【発明が解決しようとする課題】
【００１４】
しかしながら、上記特許文献２に示す従来技術においては、組み込み作業が容易なカバー開閉機構を提供できるが、カバーの開閉が開口の前方に移動させることと開口の前方で回動させるという操作手順を踏まなければならず、操作が面倒であるという問題点がある。また、開口を開くときにカバーを筐体に対して大きく旋回して回動させなければならないため、開口部分の周辺に広い空間を必要とするなどの問題点がある。
【００１５】
従って、従来においては、カバーの開閉操作が容易であることと、カバーを筐体に組み込む作業が簡単であるという技術は、例えば、上記特許文献１、２に示すように、夫々単独に存在するだけであって、単一の機構によって得られないという問題点があった。
【００１６】
そこで、本発明は、上記の問題点を解消することを課題とし、カバーの開閉操作が容易であると共に、カバーを筐体に組み込む作業が簡単であるというカバー開閉機構を提供することを目的とするものである。
【課題を解決するための手段】
【００１７】
前記課題を解決するために、本願の請求項１にかかる発明は、
筺体にある開口をカバーでもって開閉するカバー開閉機構であって、
前記カバーは、前記開口を覆うカバー本体と、該カバー本体の裏面に設けられた弾性変形可能な支持体とを備え、前記開口に接近した前記筐体には、前記支持体が挿通される挿通孔を形成し、前記挿通孔は、該挿通孔内面に突出して設けられた突出部と、該突出部に対向した位置に該挿通孔内面から後退した後退部とを備え、前記支持体は、該支持体の長手方向に延在して形成され、前記突出部に係合するガイド用溝を備えて構成したことを特徴とする。
【００１８】
また、本願の請求項２に係るカバー開閉機構の発明は、請求項１に係るカバー開閉機構において、前記支持体は、前記カバー本体が上方に傾いて位置するように折り曲げられて形成された折曲部を備えて構成したことを特徴とする。
【００１９】
また、本願の請求項３に係る発明においては、請求項１又は請求項２に係るカバー開閉機構において、前記支持体は、先端部分が前記挿通孔の縦辺の長さに略等しく該挿通孔に挿通される厚さ（例えば下記実施例では、厚みａ１）であり、該先端部分を除く部分が該縦辺の長さに対して小さい値の厚み（例えば下記実施例では、厚みａ２）で形成されていることを特徴とする。
【００２０】
また、本願の請求項４に係る発明においては、請求項１ないし請求項３のいずれかに係るカバー開閉機構において、前記突出部は、前記挿通孔の入口側に向った位置に傾斜面を備えていることを特徴とする。
【発明の効果】
【００２１】
本発明のスタンド装置は、次に示すような優れた効果を奏する。
【００２２】
すなわち、請求項１に係る発明においては、筐体の開口を覆うカバー本体の裏面に支持体が設けられ、この支持体は弾性変形可能になっている。一方、開口に接近した筐体に支持体を挿通させる挿通孔が形成され、挿通孔内面には突出部が設けられ、突出部に対向する位置に後退部が設けられている。そして、支持体には長手方向に延在して形成されて突出部に係合するガイド用溝が設けられている。
【００２３】
このような構成によれば、組み込みの際には、支持体の先端を挿通孔に強く押し込めば支持体の先端部分が後退部側に弾性変形し、更に押し込むと係合用のガイド用溝に突出部が係合する。この係合状態では支持体の弾性変形が元の状態に復帰するので支持体が挿通孔から抜け出てしまうことがない。そのため、カバー本体は筐体に開口を開閉自在に取り付けられる。一方、カバーは、カバー本体を筐体の方に押し付けることにより開口を閉じ、カバー本体を前方に引っ張ることにより開口を開くことができる。そして、カバー本体は支持体によって筐体の前方に大きく飛び出して位置される。
【００２４】
従って、単なる押込み動作だけでカバー本体を筐体に組み込むことができ。そして、組み込まれたカバー本体は筐体に対して前後に動かすだけで開口を開閉できる。その結果、組み込み作業が簡単であると共に、開口の開閉操作が簡単なカバー開閉機構を提供できる。
【００２５】
また、請求項２に係る発明においては、請求項１に係るカバー開閉機構において、支持体には、カバー本体を上方に傾ける折曲部とが設けられている。
【００２６】
このような構成によれば、カバーが開いた状態では、そのカバー本体が支持体の折曲部によって開口の前方で上方に偏倚して位置されるのでカバー本体を前方に引っ張ることにより開口を開くことができる。従って、カバー本体は支持体によって筐体の前方に大きく飛び出して位置される。
【００２７】
従って、請求項１、請求項２に係る発明によれば単一の機構によって以下の複数の利点を有するカバー開閉機構を得ることができる。第一に、組み込み作業はカバー本体を単に押し込むだけの動作で達成できるので作業性が良い。第二に、開口の開閉動作はカバー本体を筐体に対して前後に動かすだけの簡単な操作で達成できる。第三に、外部機器の装着、離脱は、開口が開かれた状態ではカバー本体を開口の前方に大きく突出させると共に、開口の上方に位置させているため、その装着、離脱を容易に行うことができる。第四に、長板状の支持体は、筐体内に入り込むときに各種部品が配置されていない空間部分を利用しているので、支持板を長いもので構成してカバー本体の前後動作のストロークを大きくすることができる。
【００２８】
また、請求項３に係る発明においては、請求項１又は請求項２に係るカバー開閉機構において、支持体が先端部分の厚みが大きく先端部分を除く部分の厚みが小さい。そのため、カバー本体が開口を開くように引き出されているときには、支持体の先端部分が挿通孔に上下方向にがたつきのない状態で挿通されている。従って、カバー本体は下方に垂れ下がって開口の前方に位置することがないので、外部機器の装着、離脱を容易にする。一方、カバーによる開閉のために支持体を挿通孔内で移動させる際には、支持体の厚みの小さい部分が挿通されるので、開閉動作を円滑に行うことができる。
【００２９】
また、請求項４に係る発明においては、請求項１ないし請求項３のいずれかに係るカバー開閉機構において、突出部には挿通孔入口側に向う位置に傾斜面を備えている。
【００３０】
このような構成によれば、カバー開閉機構の組み込みに際して、挿通孔に支持体を押し込む際、突出部に当接した支持体が傾斜面に沿って突出部を通過するので、突出部をガイド用溝に至らしめることが容易にできる。
【図面の簡単な説明】
【００３１】
【図１】本発明の一実施例に係るカバー開閉機構を適用した電子機器を示す正面図である。
【図２】図１におけるカバー開閉機構の開口を開いた状態を示す斜視図である。
【図３】図２における支持体の先端部分と挿通孔部分を筐体の背面側から見て拡大して示す斜視図である。
【図４】図２における支持体の先端部分と切断した挿通孔部分を拡大して示す説明図であって、挿通孔部分を切断して示したものである。
【図５】図２におけるカバーを示す斜視図である。
【図６】図３における支持体の先端部分を下方から見た斜視図である。
【図７】本発明の一実施例におけるカバー開閉機構の組み立てについて、その最初の手順を示す説明図であり、図７（ａ）は支持体を挿通孔に挿入開始したときの側方から見た状態を示し、挿通孔部分を切断したものであり、図７（ｂ）は支持体を挿通孔に挿入開始したときの後方から見た状態を示している。
【図８】本発明の一実施例におけるカバー開閉機構の組み立てについて、その途中の状態を示す説明図であり、図８（ａ）は支持体を挿通孔に途中まで挿入したときの側方から見た状態を示し、挿通孔部分を切断したものであり、図８（ｂ）は支持体を挿通孔に途中まで挿入したときの後方から見た状態を示している。
【図９】本発明の一実施例におけるカバー開閉機構の組み立てについて、組み立て終了の状態を示す説明図であり、図９（ａ）は組み立て終了時における支持体の挿通孔への挿入状態を側方から見て示し、挿通孔部分を切断したものであり、図９（ｂ）は組み立て終了時における支持体の挿通孔への挿入状態を後方から見た状態を示している。
【発明を実施するための形態】
【００３２】
以下、本発明の具体例を実施例及び図面を用いて詳細に説明する。但し、以下に示す実施例は、本発明の技術的思想を具体化するためのカバー開閉機構を例示するものであって、本発明をこのカバー開閉機構に特定することを意図するものでなく、特許請求の範囲に含まれるその他の実施形態のカバー開閉機構にも等しく適用し得るものである。
【実施例】
【００３３】
図１は本発明の一実施例に係るカバー開閉機構を適用した電子機器を示す正面図であり、図２は図１におけるカバー開閉機構の開口を開いた状態を示す斜視図である。
【００３４】
本実施例に係るカバー開閉機構１０は、図１に示すように、例えば、ナビケーション機能を有すると共に、音声信号、映像信号等の各種のデータを再生できる車載用の電子機器２０の前面２０１に設けられている。また、前面２０１には、デイスプレイ２０２と、前面２０１の右辺寄りに設けられたナビケーション操作用、音声、映像信号再生用等のキーが配された操作面２０３と、前面２０１の上辺寄りに配された横長状のデイスク挿入口２０４と、操作面２０３の下方に設けられた外部機器である例えばＵＳＢメモリが挿入される外部機器装着用開口２０５が設けられている。ここで、カバー開閉機構１０は操作面２０３の上方、すなわち前面２０１の上方右隅に配置されている。
【００３５】
このように、カバー開閉機構１０、デイスプレイ２０１、操作面２０３等は前面２０１の筐体２０６において、操作の容易性、占有面積の有効利用等を考慮して配置されている。
【００３６】
また、外部機器装着用開口２０５はその開口を開閉するカバーを有する。
【００３７】
カバー開閉機構１０は、図２に示すように、電子機器２０の筐体２０６に横長状に形成された矩形の凹部１０１と、凹部１０１に形成されたメモリカード３０を挿通するための横長状に形成された開口１０２と、開口１０２を開閉するカバー１０３とを備えている。カバー１０３は、凹部１０１に収納され開口１０２を覆う矩形のカバー本体１０４と、カバー本体１０４の裏面の上辺寄りに垂立して設けられた長板状の一対の支持体１０５とを備えている。カバー本体１０４の下辺にはユーザがカバー１０３を外す際に爪を引っ掛けるための切り欠き１０６が形成されている。
【００３８】
支持体１０５は弾性材によって形成され弾性的に変形可能になっている。また、凹部１０１における開口１０２の上辺に接近した筐体２０６には、支持体１０５が挿通される横長の長方形状に形成された一対の挿通孔１０７が設けられている。支持体１０５には、後述する突出部１０９に係合するガイド用溝１０８が支持体１０５の長手方向に延在して形成されている。
【００３９】
図３は、図２における支持体１０５の先端部分と挿通孔１０７部分を筐体２０６の背面側から見た斜視図であり、図４は、図２における支持体１０５の先端部分と切断した挿通孔１０７部分を示す断面図であり、図５は、図２におけるカバー１０３を示す斜視図であり、図６は、図３における支持体１０５の先端部分を下方から見た斜視図である。
【００４０】
横長状の長方形に形成された挿通孔１０７は、その縦方向の辺の長さがＡ、横方向の辺の長さがＢである。支持体１０５は、先端部分が縦方向の辺の長さＡに略等しい値の厚みａ１で形成され、先端部分を除く部分が縦方向の辺の長さＡに対して小さい値の厚みａ２で形成されている。また、支持体１０５は、横方向の長さＢよりも若干小さい値の幅ｂで形成されている。換言すれば、支持体１０５は、先端部分が挿通孔１０７の縦辺の長さＡに対して略等しく挿通孔１０７に挿通される厚みａ１で形成され、先端部分を除く部分が縦辺の長さＡに対して小さい値の厚みａ２で形成され、先端部分が挿通孔１０７内を密着して挿通し、先端部分以外が挿通孔１０７内を厚み方向に間隙をもって挿通されるようになっている。（図３参照）。
【００４１】
挿通孔１０７は、その下側内面の中央に突出して形成されて設けられ突出部１０９と、突出部１０９に対向する位置に挿通孔１０７の上側内面から後退した形状の後退部１１０とを備えている。突出部１０９は挿通孔１０７の入口側に向かった位置に傾斜面１１１が形成されている。ここで、後退部１１０は挿通孔１０７の上側内面を部分的に切り欠くことによって形成されている。また、突出部１０９の先端と挿通孔１０７の上側内面との間の距離Ｃは支持板１０５における先端部分の厚みａ１より小さい値に設定されている（図４参照）。
【００４２】
支持体１０５の中間部分には、カバー本体１０３が若干上方に傾き偏倚して位置するように折曲部１１２が形成されている。支持体１０５の先端部分には、その下面において先端側に一端が開放され、他端がガイド用溝１０８の端に接近する位置まで連なったガイド用凹部１１３が形成されている。そして、このガイド用凹部１１３には突出部１０９が係合するようになっている。ガイド用溝１０８とガイド用凹部１１３との間は、ガイド用凹部１１３に対して支持体１０５の面まで膨出した膨出部１１４となっている（図６参照）。
【００４３】
また、ガイド用凹部１１３の反対側の面に先端からガイド用溝１０８に至るまで切りかかれた切り欠き面１１５が形成され肉薄状になっている（図５参照）。
【００４４】
次に、図７〜図９の説明図に基づいて、上述した実施例のカバー開閉機構１０の組み立てについて説明する。この組み立ては電子機器１０を製造する際にカバー１０３を筐体２０６に取り付けることである。
【００４５】
まず、図７（ａ）、（ｂ）に示すように、最初の手順として支持体１０５の先端を挿通孔１０７に押し込む。先端部分はガイド用凹部１１３に突出部１０９が係合して挿通孔１０７内に入り込む。そして、突出部１０９が膨出部１１４に至ると、突出部１０９の先端と挿通孔１０７の上側内面との間の距離Ｃが支持体１０５の厚みａ１より小さいため、突出部１０９が膨出部１１４に当接する。
【００４６】
この状態から、更に、カバー本体１０３を押し込むと、図８（ａ）、（ｂ）で示すように、突出部１０９の傾斜面１１１に沿って膨出部１１４が乗り上げられるように支持体１０５が弾性的に変形される。この弾性変形は支持体１０５の上面部分が後退部１１０によって開放されているので容易に行われる。また、支持体１０５の先端部分はガイド用凹部１１３と切り欠き面１１５により形成された肉薄部分において容易に変形する。そのため、膨出部１１４が突出部１０９を円滑に通過する。
【００４７】
図９（ａ）、（ｂ）に示すように、膨出部１１４が突出部１０９を通過すると、突出部１０９はガイド用溝１０８に係合する。この係合によって支持体１０５の変形状態が解除され再び扁平な状態に復帰される。このように支持体１０５の形状が復帰されることにより、支持体１０５を挿通孔１０７から引き出そうとしても、突出部１０９に膨出部１１４が当接して支持体１０５を挿通孔１０７から抜き取ることを不可能にする。
【００４８】
なお、突出部１０９はフック状に形成してもよい。このようにフック状に形成することにより、膨出部１１４を確実に係止して支持体１０５が挿通孔１０７から不用意に抜き取られてしまうことを防止できる。
【００４９】
上述した実施例におけるカバー開閉機構１０のカバー１０３による開口１０２の開閉動作は下記のとおりである。
【００５０】
通常は、開口１０２はカバー本体１０４によって塞がれている。この状態ではカバー本体１０４は凹部１０１内に収まっている（図１参照）。
【００５１】
カバー１０３を開くときには、切り欠き１０６に爪などを引っ掛けてカバー本体１０４を引き出す。カバー本体１０４を引き出すと、支持体１０５は突出部１０９がガイド用溝１０８の端に至るまで前方に大きく引き出される。そのため、カバー本体１０４は開口１０２の前方の離れた位置まで移動される（図２参照）。一方、この移動の際には、支持体１０５は小さい値の厚みａ２部分が挿通孔１０７を挿通するので、引き出しのために大きな力を要しない。
【００５２】
カバー本体１０４が大きく引き出された後の状態では、支持体１０５は大きな値である厚みａ１の先端部分が挿通孔１０７内にあるので上下方向にがたつきがなくなる。そのため、カバー本体１０４は下方に垂れ下がることがない。また、カバー本体１０４は折曲部１１２により上方に位置される。
【００５３】
従って、開かれた開口１０２には前方からメモリカード３０を挿入して筐体２０６内部のコネクタに接続することができる。一方、装着されたメモリカード３０を取き出すときには、開かれた開口１０２からメモリカード３０を引き出せばよい。このとき、カバー本体１０４はメモリカード３０の開口１０２への挿入、開口１０２からの取り出しに際して邪魔にならない。
【００５４】
再び、開口１０２を塞ぐ場合は、カバー本体１０４を開口１０２の方向に押し付けて凹部１０１内に納めることによって達成される。このとき、支持体１０５は小さい値の厚みａ２の部分が挿通孔１０７を通過するので押し込みのために大きな力を要しない。
【００５５】
なお、カバー１０３を取り外す場合は、筐体２０６の背面よりドライバーによって膨出部１１４を上方に押し上げるように支持体１０５を強制的に変形させ、この状態で支持体１０５を引っ張る。その結果、膨出部１１４が突出部１０９上を通過することにより、支持体１０５は挿通孔１０７から抜き取れる。
【００５６】
従って、上述した本発明の実施例によれば、カバー開閉機構１０を組み込む際には、カバー本体１０４でもって支持体１０５の先端を挿通孔１０７に差し込めばガイド用凹部１１３に突出部１０９が係合し、支持体１０５をガイドして挿通孔１０７に挿通させる。そして、支持体１０５を更に押し込むと突出部１０９が膨出部１１４に当接するが、この時点で支持体１０５を強く押し込むことにより先端部分を後退部１１０側に変形させることができる。その結果、突出部１０９は膨出部１１４上を通過してガイド用溝１０８に至せることになる。
【００５７】
一方、組み込まれたカバー開閉機構１０はカバー本体１０４を筐体２０６に対して前後に動かすだけで開口１０２を開閉できる。そして、カバー本体１０４は長板状の支持体１０５によって筐体２０６の前方に大きく飛び出して位置させることができる。
【００５８】
その結果、カバー開閉機構１０は組み込み作業が支持体１０５を挿通孔１０７に押し込むだけの簡単な動作で行うことができると共に、開口１０２の開閉がカバー本体１０４を筐体２０６に対して前後するだけの簡単な操作で達成できる。
【００５９】
また、開口１０２が前面２０１上辺に接近して配置されている電子機器２０においては、筐体２０６における開口１０２の上部に挿通孔１０７が形成されているので、挿通孔１０７に挿通された支持体１０５は各種部品が配置されていない電子機器２０内の上方の空間部分に位置させることができる。そのため、支持体１０５は筐体２０６内に深く入り込む長いもので構成してカバー本体１０４の前後動作のストロークを大きくすることができる。従って、カバー開閉機構１０は開口１０２を開いたときカバー本体１０４が開口１０２から大きく離れて位置させ、メモリカードなどの外部機器の装着、離脱を容易にする。
【００６０】
また、支持体１０５はカバー本体１０４が上方に傾いて位置するように折り曲げられて形成された折曲部１１２を有する。そのため、カバー１０３が開口１０２を開いた状態では、そのカバー本体１０４が開口１０２の前方から上方に偏移した位置に在るので、前方より開口１０２を認識して外部機器の装着、離脱を確実に行うことができる。
【００６１】
支持体１０５は、先端部分の厚みａ１が大きく先端部分を除く部分の厚みａ２が小さい。そのため、カバー本体１０４が開口１０２を開くように引き出されているときには、支持体１０５の先端部分が挿通孔１０７に対して上下方向にがたつきのない状態で挿通されている。従って、カバー本体１０４は下方に垂れ下がって開口１０２の前方に位置することがないので、外部機器の装着、離脱を容易にする。一方、カバー１０３による開閉動作において、支持体１０５を挿通孔１０７内で移動させる際には、支持体１０５の薄い厚みａ２の部分が挿通されるので、開閉動作を円滑に行うことができる。
【００６２】
また、支持体１０５は突出部１０９に対向する面において先端側からガイド用溝１０８の端に接近する位置までガイド用凹部１１３を備え、突出部１０９には挿通孔１０７入口側に向う位置に傾斜面１１１を備えている。そのため、カバー開閉機構１０の組み込みに際して、挿通孔１０７に支持体１０５を差し込んだときにガイド用凹部１１３に突出部１０９が係合し先端部分をガイドするので、先端部分の挿通孔１０７への挿入を確実に行うことができる。挿入が進んで、突出部１０９がガイド用凹部１１３の端で膨出部１１４に当接しときには、膨出部１１４が支持体１０５の変形によって傾斜面１１１に沿って突出部１０９を通過する。そのため、少ない力で支持体１０５を押込んでガイド用溝１０８に突出部１０９を至らしめることができる。
【００６３】
さらに、支持体１０５は、ガイド用凹部１１３を形成した面と反対の面に切欠き面１１５が形成され、肉薄状になっているので、先端部分が後退部１１０に向かって弾性的に変形し易い。そのため、膨出部１１４が突出部１０９通過する際に、先端部分がスムーズに弾性変形して少ない押込み力で突出部１０９をガイド用溝１０８に至らしめることができる。
【００６４】
なお、上記実施例においては、カバー開閉機構１０は電子機器２０の前面２０１に設けたものであるが、本発明はこれに限定されることなく電子機器２０の側面等の他の面に設けたものであってもよい。
【００６５】
また、上記実施例においては、支持体１０５はカバー本体１０４の裏面の上辺寄りに設けたものであるが、本発明はこれに限定されることなく、支持体１０５をカバー本体１０４の裏面の下辺寄り、または側辺寄りに設けたものであってもよい。
【００６６】
また、上記実施例においては、カバー開閉機構１０は前面２０１の上辺右隅に配置されているが、本発明はこれに限定されることなく下辺等その他の位置に配置してもよい。
【００６７】
また、上記実施例においては、カバー開閉機構１０が適用される開口１０２はメモリカード３０を挿通するためのものであるが、本発明はこれに限定されることなく、カード状でないメモリ、外部機器のコードに接続されたコネクタ等を挿通する各種の外部機器用の開口に適用できるものである。
【符号の説明】
【００６８】
１０・・・・カバー開閉機構
２０・・・・電子機器
３０・・・・メモリカード
１０１・・・凹部
１０２・・・開口
１０３．・・カバー
１０４・・・カバー本体
１０５・・・支持体
１０６・・・切り欠き
１０７・・・挿通孔
１０８・・・ガイド用溝
１０９・・・突出部
１１０・・・後退部
１１１・・・傾斜面
１１２・・・折曲部
１１３・・・ガイド用凹部
１１４・・・膨出部
１１５・・・切り欠き面
２０１・・・前面
２０２・・・デイスプレイ
２０３・・・操作面
２０４・・・デイスク挿入口
２０５・・・外部機器装着用開口
２０６・・・筐体
【図１】
2012015141.tif 000003
【図２】
2012015141.tif 000004
【図３】
2012015141.tif 000005
【図４】
2012015141.tif 000006
【図５】
2012015141.tif 000007
【図６】
2012015141.tif 000008
【図７】
2012015141.tif 000009
【図８】
2012015141.tif 000010
【図９】
2012015141.tif 000011